(57)【要約】【課題】文書を印刷する際、どの一括設定が実行されるのかが事前に分かる画像処理装置を提供する。【解決手段】画像処理装置の機能を利用するための複数のサービスを保持する画像処理装置は、複数のサービスから所定のサービスを起動するためにユーザが操作入力するための操作画面を表示する表示手段と、操作画面の第１領域が選択された場合に、ユーザが特定のサービスを利用した際の履歴情報が保存された印刷設定を読み出して、表示手段に表示させる第１起動手段と、操作画面の第２領域が選択された場合に、予め特定の文書属性に関連付けて保存された印刷設定を読み出して、表示手段に表示させる第２起動手段とを備える。【選択図】図２
2020032679.tif 000002
【特許請求の範囲】
【請求項１】
画像処理装置の機能を利用するための複数のサービスを保持する画像処理装置であって、
前記複数のサービスから所定のサービスを起動するためにユーザが操作入力するための操作画面を表示する表示手段と、
前記操作画面の第１領域が選択された場合に、前記ユーザが前記特定のサービスを利用した際の履歴情報に含まれる第１印刷設定を読み出して、前記表示手段に表示させる第１起動手段と、
前記操作画面の第２領域が選択された場合に、予め特定の文書属性に関連付けて保存された第２印刷設定を読み出して、前記表示手段に表示させる第２起動手段と
を備える
ことを特徴とする画像処理装置。
【請求項２】
前記第１領域が選択された際に、前記履歴情報に前記特定の文書属性が含まれており、かつ前記第１印刷設定と前記第２印刷設定に競合する設定項目がある場合に、前記競合する設定項目を通知する通知手段
をさらに備える
ことを特徴とする請求項１に記載の画像処理装置。
【請求項３】
前記第１領域が選択された際に、前記履歴情報に前記特定の文書属性が含まれており、かつ前記第１印刷設定と前記第２印刷設定に競合する設定項目がある場合に、前記競合する設定項目のいずれかを選択する選択手段
をさらに備える
ことを特徴とする請求項１に記載の画像処理装置。
【請求項４】
前記第１起動手段は、前記ユーザが前記特定のサービスを利用した際の履歴情報が保存された印刷設定をよく使う設定として前記第２領域に設定されている場合、前記履歴情報が保存された印刷設定を読み出して、前記表示手段に表示させる
ことを特徴とする請求項１乃至３のいずれか１項に記載の画像処理装置。
【請求項５】
前記競合する設定項目がある場合に、前記表示手段に表示させる印刷設定の優先度を予め設定する設定手段
をさらに備え、
前記第１及び第２起動手段は、前記設定手段により設定された優先度に従って、前記印刷設定を前記表示手段に表示させる
ことを特徴とする請求項２または３に記載の画像処理装置。
【請求項６】
前記第１領域は、前記ユーザに関連付けて保存された前記履歴情報を示す領域であり、前記第２領域は、前記複数のサービスを示す領域である
ことを特徴とする請求項１乃至５のいずれか１項に記載の画像処理装置。
【請求項７】
画像処理装置の機能を利用するための複数のサービスを保持し、前記複数のサービスから所定のサービスを起動するためにユーザが操作入力するための操作画面を表示する表示手段を備える画像処理装置の制御方法であって、
前記操作画面の第１領域が選択された場合に、前記ユーザが前記特定のサービスを利用した際の履歴情報が保存された第１印刷設定を読み出して、前記表示手段に表示させる第１起動工程と、
前記操作画面の第２領域が選択された場合に、予め特定の文書属性に関連付けて保存された第２印刷設定を読み出して、前記表示手段に表示させる第２起動工程と
を有する
ことを特徴とする画像処理装置の制御方法。
【請求項８】
請求項１乃至６のいずれか１項に記載の画像処理装置の各手段としてコンピューターを機能させるためのプログラム。
【発明の詳細な説明】
【技術分野】
【０００１】
本発明は、画像処理装置、画像処理装置の制御方法、及びプログラムに関する。
【背景技術】
【０００２】
画像処理装置において、コピーやスキャンなど、実行されたジョブに対して行われた設定を設定履歴として複数記憶する機能（以降、タイムラインと呼ぶ）を備えるものがある（特許文献１及び特許文献２参照）。
また、ある文書データに対して、固定的に設定を行う方法（以下、文書属性と呼ぶ）により、設定を簡便化する方法もある。文書データの選択画面から特定の文書が選択されると、あらかじめ決定された設定が表示され、ユーザは実行を指示するだけでジョブを実行することができる。これらの機能により、ユーザはジョブ実行の際、細かな設定を行うことなく所望の設定を呼び出すことができる。
【先行技術文献】
【特許文献】
【０００３】
【特許文献１】特開２０１０−２０１９３１号公報
【特許文献２】特開２０１５−１４６５０３号公報
【発明の概要】
【発明が解決しようとする課題】
【０００４】
タイムラインや文書属性などの一括設定手段によって、ユーザに対してジョブの実行手順を簡便にすることができた。しかしその一方で、様々な一括設定方法が混在するために、反映される設定内容がわかりにくい。例えば、ＰＤＦ（Ｐｏｒｔａｂｌｅ  Ｄｏｃｕｍｅｎｔ  Ｆｏｒｍａｔ）ファイルのジョブを実行したいとき、タイムライン領域のボタンを押下する。その一方で、ＰＤＦには文書属性によりＰＤＦに適した設定が関連付けられているため、タイムラインからＰＤＦ文書を含む設定履歴が選択されたときに、文書属性の設定が反映されるかどうかがわからない。このように、ジョブを実行する際に、どの設定手段で、どの一括設定が行われるのかが、事前にわかりにくい。
【０００５】
本発明は、上記課題を鑑みて、文書を印刷する際、どの一括設定が実行されるのかが事前に分かる画像処理装置を提供することを目的とする。
【課題を解決するための手段】
【０００６】
上記の課題を解決するために、本発明の画像処理装置は、画像処理装置の機能を利用するための複数のサービスを保持する画像処理装置であって、前記複数のサービスから所定のサービスを起動するためにユーザが操作入力するための操作画面を表示する表示手段と、前記操作画面の第１領域が選択された場合に、前記ユーザが前記特定のサービスを利用した際の履歴情報が保存された印刷設定を読み出して、前記表示手段に表示させる第１起動手段と、前記操作画面の第２領域が選択された場合に、予め特定の文書に関連付けて保存された印刷設定を読み出して、前記表示手段に表示させる第２起動手段とを備えることを特徴とする。
【発明の効果】
【０００７】
本発明によれば、どの設定内容が表示されるかが事前にわかりやすくなり、ユーザの利便性が向上する。
【図面の簡単な説明】
【０００８】
【図１】画像処理装置のブロック図である。
【図２】第１実施形態に係る一括設定表示時の制御方法を説明するフローチャートである。
【図３】第２実施形態に係る一括設定表示時の制御方法を説明するフローチャートである。
【図４】第３実施形態に係る一括設定表示時の制御方法を説明するフローチャートである。
【図５】操作画面を説明する図である。
【図６】タイムラインが保持するレコード情報を説明する図である。
【図７】第２実施形態に係る設定競合時の通知画面を説明する図である。
【図８】第３実施形態に係る設定競合時の選択画面を説明する図である。
【図９】設定競合時の優先する設定手段を決定する設定画面を説明する図である。
【図１０】タイムライン使用時の設定確認画面を説明する図である。
【図１１】文書選択画面を説明する図である。
【図１２】文書属性が保持するレコード情報を説明する図である。
【図１３】保存ファイルの利用ジョブ時の設定確認画面を説明する図である。
【図１４】よく使う設定の登録画面を説明する図である。
【図１５】よく使う設定の登録後の画面を説明する図である。
【図１６】よく使う設定が保持するレコード情報を説明する図である。
【発明を実施するための形態】
【０００９】
記憶された設定履歴は、タイムライン領域と呼ばれる領域にソフトキーとして表示される。それぞれの履歴は、ユーザによりタッチされるソフトキーとして表現されており、ソフトキーが押下されることで該当のソフトキーに対応する履歴が読み込まれる。その後、設定内容を自動的に一括設定した対象のサービスが提供する設定画面が表示される。タイムライン領域は、サービスを選択するためのアイコンが表示されるサービス領域に隣接した位置に配置される。タイムライン領域とサービス選択領域を操作部に同時に表示する理由としては、どちらもサービスを起動するトリガーとなり得るソフトキーであり、いずれからも起動できる方がユーザにとって利便性が高いからである。以下、本発明を実施するための最良の形態について図面を用いて説明する。
【００１０】
（第１実施形態）
＜画像処理装置＞
図１は、本実施形態に係る画像処理装置の構成を示す図である。画像処理装置１００は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２を有する。また、画像処理装置１００は、ＲＡＭ１０３（Ｒａｎｄｏｍ  Ａｃｃｅｓｓ  Ｍｅｍｏｒｙ）と、プリンタ１０４と、操作表示部１０５、スキャナ１１０を有している。さらに、画像処理装置１００は、外部との通信インターフェースとして、ＵＳＢ（Ｕｎｉｖｅｒｓａｌ  Ｓｅｒｉａｌ  Ｂｕｓ）Ｉ／Ｆ１０６と、ネットワーク  Ｉ／Ｆ１０７とを有する。
【００１１】
ＣＰＵ１０１は、システム制御部であり、画像処理装置１００の全体を制御する。ＲＯＭ１０２は、ＣＰＵ１０１の制御プログラムを格納している。なお、上記制御プログラムは、以下に説明する上記実施例を実行する制御プログラムである。また、ＲＯＭ１０２は、書き換え可能なフラッシュＲＯＭなどの種類があり、画像処理装置１００のユーザが登録した設定値、管理データ等を格納する。
【００１２】
ＲＡＭ１０３は、実行プログラム、プログラム制御変数、各種ワーク用バッファ等や、画像処理装置１００のユーザが登録した一部の設定値、管理データ等を格納する。プリンタ１０４は、紙などのシートに画像を形成するためのハードウェア機構である。プリンタ１０４は、シートの給紙やドラムの帯電、レーザーの照射、静電潜像、シートへの画像の転写、定着などを行うことでシート上に画像を形成する。
【００１３】
スキャナ１１０は、原稿を読み取り、ＲＯＭ１０２やＲＡＭ１０３に読み取った画像情報を取り込むハードウェア機構である。取り込んだ画像情報はプログラム等によって加工され、ＬＡＮ１０９を通じて外部へ送信されるなどの利用方法がある。操作表示部１０５は、キーボード、タッチパネル、ＬＣＤ、ＬＥＤ等で構成され、ユーザによる各種操作を受け付けたり、操作画面を表示したり、ユーザへの通知を行う。
【００１４】
ＵＳＢ  Ｉ／Ｆ１０６は、ＵＳＢデバイス１０８との接続、通信及び電力供給などを行う。ネットワーク  Ｉ／Ｆ１０７は、ＬＡＮ１０９を介して画像処理装置１００の各部とのデータ送受信を行う。特に端末１０８からの印刷ジョブ受信や、装置１００の制御情報の受信を行う。なおＬＡＮ１０９には、有線で通信を行うもの（有線ＬＡＮ）と、無線で通信を行うもの（無線ＬＡＮ）を含む。
【００１５】
図５は、操作表示部１０５に表示される画面を示す図であり、ホーム画面（操作画面）と呼ばれる。ホーム画面は、画像処理装置１００の制御プログラムをＣＰＵ１０１が実行することで表示される。ホーム画面３００は、各アプリケーションの画面を呼び出すための画面である。ユーザは、ホーム画面３００を操作入力することで所定のサービスを選択する。ホーム画面３００には、メニュー３０１と、スライドバー３０２と、ユーザ名表示領域３０３と、タイムライン（第１領域）３０４を備えている。
【００１６】
メニュー３０１は、ソフトキーであるアプリボタン群３０９を表示するボタン領域を有する。アプリボタン群（第２領域）３０９は、対応するアプリケーションの画面に遷移するためのボタン群であり、いずれかのボタンが押下されると、押下されたボタンに対応するアプリケーションのプログラムが提供する画面が表示される。また、本実施形態では、メニュー３０１は、１ページ以上の画面から構成される。１ページに表示されるボタン数は、ＲＯＭ１０２やＲＡＭ１０３に保存されたボタンレイアウト設定（図示しない）によって定められている。なお、本実施形態では、ソフトキーを用いているがこれに限定することなく、例えば、アプリケーション画面に遷移することができれば他の方法であってもよい。
【００１７】
スライドバー３０２は、メニュー３０１のページを切り替えるためのボタンである。なお、タッチパネルであればフリック動作、またはハードキー押下によって、メニュー３０１のページを切り替えてもよい。ユーザ名表示領域３０３は、現在ログイン中のユーザ名を表示する表示領域である。タイムライン３０４は、ジョブに関する設定の履歴（レコード）を表示する領域である。レコード３０５〜３０８は、レコードを表す。ここで、レコード３０５を例に詳細を説明する。レコード３０５は、カラーモード「白黒」、用紙サイズ「Ａ４」、倍率「１２５％」、部数「５部」のコピージョブを「２０１７／１０／２４  ０８：５１：２２」に実施したことを示している。その際のコピージョブの設定を履歴として再利用することが可能である。
【００１８】
次に、レコード３０５を押下した場合について説明する。レコード３０５は、図６に示すレコード情報（履歴情報）４００（後述する）と関連づけてＲＯＭ１０２またはＲＡＭ１０３にログインユーザ毎に記憶されている。図６は、ＲＯＭ１０２またはＲＡＭ１０３に記憶されているレコード情報を説明する説明図である。本実施形態では、ログインユーザＩＤが「Ｕｓｅｒ０００１」であるユーザがログインした際に、ＲＯＭ１０２またはＲＡＭ１０３から呼び出されるレコード情報を例に説明する。レコード情報４００は、オーナーユーザＩＤ４０１、レコードＩＤ４０２、レコード名称４０３、アプリケーション種別４０４、更新日時４０５、アプリケーションデータ４０６、呼び出し回数４０７、レコードポイント４０８で構成されている。これらは、レコード情報４００の一例であり、その他の項目を保持していてもよい。また、アプリケーションによって保持する項目が異なっていてもよい。
【００１９】
オーナーユーザＩＤ４０１は、実行したユーザを特定するためのユーザＩＤを示す。この情報により、ログインユーザＩＤと合致したオーナーユーザＩＤのレコード情報が呼び出される。レコードＩＤ４０２は、レコードを一意に識別するためのＩＤを示す。レコード名称４０３は、レコードの表示名を示す。アプリケーション種別４０４は、アプリケーションの識別子を示す。更新日時４０５は、レコードを登録した日時を示す。アプリケーションデータ４０６は、任意の設定データを示す。
【００２０】
図６に示すレコード情報４００の例では、「ＫＥＹ／ＶＡＬＵＥ」のハッシュマップ形式で記載している。レコードＩＤ４０２が「１」を例に説明すると、カラーモード「白黒」、用紙サイズ「Ａ４」、ページ集約「１ｉｎ１」、倍率「１２５％」、部数「５部」、面設定「両面から両面」という設定データとなる。呼び出し回数４０７は、レコードが再利用された回数を表す。レコードＩＤ４０２が「１」の場合は４回、レコードＩＤ４０２が「３」の場合は２０回再利用されていることを表す。レコードポイント４０８は、更新日時４０５、および呼び出し回数４０７より算出された各レコードのポイントである。新規ジョブが実行されたときに、前記新規ジョブのアプリケーション種別及びアプリケーションデータと、レコード情報４００に保存されているすべてのレコードに関連付けられているアプリケーション種別及びアプリケーションデータを比較する。アプリケーション種別及びアプリケーションデータが一致する場合、一致したレコードの更新日時を現在時刻で上書きする。また新規ジョブの実行によって新規レコードが追加される場合に、プログラムで定められたレコードの最大保存数を超える場合がある。その場合は、更新日時が最も古いレコードをＲＯＭ１０２またはＲＡＭ１０３から削除し、当該新規ジョブによる新規レコードを追加する。
【００２１】
図１０は、レコードＩＤ４０２が「２」のレコードに関連付けられたレコード３０８が押下されたときに表示される設定確認画面（第１印刷設定）７００である。ホームボタン７０１は、押下されるとホーム画面に戻るボタンである。設定値表示領域７０２は、カラーモード、倍率、用紙サイズ、部数の各設定値を表示する領域である。詳細設定確認ボタン７０３は、現在の設定をプレビューで表したボタンであり、押下されると詳細設定確認画面（図示しない）を表示する。設定選択ボタン７０４〜７０７はそれぞれ、カラーモード、倍率、用紙サイズ、部数の設定を行うためのボタンである。設定表示／選択ボタン７０８〜７１０は上部にそれぞれ、ページ集約、面、濃度の設定値を表示し、下部ではそれらの設定を行うためのボタンである。その他の機能ボタン７１１は、その他の設定（例えば、ホチキスの設定）を行う画面（図示しない）を表示するためのボタンである。実行ボタン７１２は、押下されるとジョブの実行を開始するボタンである。キャンセルボタン７１３は、押下されると設定確認画面７００を閉じるボタンである。
【００２２】
図１１は、アプリボタン群３０９にある「保存ファイルの利用」ボタンが押下された場合に表示する、文書選択画面８００である。レコード８０７は、選択８０１、種類８０２、名称８０３、用紙サイズ８０４、ページ８０５、日付時刻８０６によって構成されることを表している。レコード８０７が選択されると、レコード８０７の選択領域（選択８０１）に選択されたことを示すマーク（図１１中、レコード８０７の左端のチェックマーク）が表示される。送信ボタン８０８は、選択されたファイルを、送信アプリケーションを用いて送信処理する場合に押下される。印刷ボタン８０９は、選択されたファイルを、プリントアプリケーションを用いて印刷処理する場合に押下される。
【００２３】
図１２は、本実施形態に係る文書属性のレコード情報９００を示す図である。レコードＩＤ９０１は、レコードを一意に識別するためのＩＤを示す。ファイル形式９０２は、選択されたファイルの形式を示す。登録日時９０３は、この文書属性設定が登録された日時を示す。アプリケーションデータ９０４は、任意の設定データを示す。
【００２４】
図１３は、ファイル選択領域８０７が選択された状態で、印刷ボタン８０９が押下された時に表示される、設定確認画面（第２印刷設定）１０００を示す図である。選択されたファイル形式（文書属性）が「ＰＤＦ」であるため、ファイル形式９０２に関連付けられたアプリケーションデータ９０４に基づき、各設定が表示される。
【００２５】
次に、図２は、本実施形態に係る設定表示方法に関する制御方法を示すフローチャートである。図２に示した処理は、例えば、ＣＰＵ１０１がＲＯＭ１０２等から読み出した表示制御プログラム（以降単に、プログラムとする。）を実行することによって実現される。以降のフローは、プログラムが主体となって各ステップを実行するものとして説明する。なお、本実施形態に係る画像形成装置１００では、タイムライン及び文書属性を、一括設定実行方法として持つ。
【００２６】
まず、ユーザによりレコード３０８が選択されると（ステップＳ２００）、レコード３０８に関連付けられた設定４０６を操作表示部１０５のＬＣＤに表示する（ステップＳ２０１、設定確認画面７００）。一方、ユーザによりレコード８０７が選択されると（ステップＳ２０２）、レコード８０７に関連付けられた設定９０４を操作表示部１０５のＬＣＤに表示する（ステップＳ２０３、設定確認画面１０００）。
【００２７】
以上、本実施形態によれば、文書を印刷する際、どの一括設定が実行されるのかが事前に分かる画像処理装置を提供することができる。これにより、ユーザは、一括設定実行方法の呼び出し手順で設定が決まるため、少ない手順、かつ一括設定される内容を認識しやすくなる。
【００２８】
（第２実施形態）
第１実施形態では、ユーザの設定の呼び出し手順によって設定内容を定めていたが、設定が競合する場合には、競合した項目及びその設定値を通知する方法を用いてもよい。なお、本実施形態における競合とは、同一の設定項目に対して、異なる設定値が設定されている場合を意味する。例えば、「面選択」という設定項目には、「片面」と「両面」という設定値が存在する。例えば、レコード３０８は「ＰＤＦ文書」、「両面」の設定情報を持つが、一方、文書属性では「ＰＤＦ文書」、「片面」（図１２参照）が関連づけられているため、設定の矛盾、つまり競合が起きる。そこで、本実施形態の説明に於いては、上記の例に基づいて説明する。
【００２９】
図３は、本実施形態に係る設定表示方法に関する制御方法を示すフローチャートである。図３に示した処理は、例えば、プログラムを実行することによって実現される。まず、ユーザによりレコード３０８が選択されると（ステップＳ２１０）、レコード３０８に関連付けられた設定４０６に文書の指定があるか否かを判定する（ステップＳ２１１）。文書の指定がある場合（ステップＳ２１１の“Ｙｅｓ”の分岐）、指定された文書が文書属性によって関連付けられている設定（図１２）から、特定の設定で競合する項目があるか否かを判定する（ステップＳ２１２）。競合する項目が存在する場合（ステップＳ２１２の“Ｙｅｓ”の分岐）、競合する項目及びその項目で設定される設定値を設定通知画面５００のように表示する（ステップＳ２１３、設定通知画面５００）。次に、レコード３０８に関連付けられた設定４０６を操作表示部１０５のＬＣＤに表示する（ステップＳ２１４、設定確認画面７００）。ユーザは、図７に示す設定通知画面５００の通知内容が意図と異なれば、設定確認画面７００を操作することで、設定を変更することが可能である。一方、文書の指定がない場合（ステップＳ２１１の“Ｎｏ”の分岐）、および競合する設定がない場合（ステップＳ２１２の“Ｎｏ”の分岐）、ステップＳ２１４に進む。そして、レコード３０８に関連付けられた設定４０６を操作表示部１０５のＬＣＤに表示する（ステップＳ２１４、設定確認画面７００）。
【００３０】
以上、本実施形態によれば、設定通知画面５００が表示されることにより、ユーザは、タイムラインを使用した設定が、文書属性を使用した設定と競合していることを認識することができ、かつ意図しないジョブ実行を抑制することができる。
【００３１】
（第３実施形態）
第２実施形態では、競合した項目及びその設定値を通知する方法を用いたが、どの設定値を採用するかをユーザ判断に委ねる方法を用いてもよい。なお、本実施形態では、ユーザが面選択項目で「両面」を設定する場合について説明するがこれに限定することなく、他の項目及び設定値を採用してもよい。
【００３２】
図４は、本実施形態に係る設定表示方法に関する制御方法を示すフローチャートである。図４に示した処理は、例えば、プログラムを実行することによって実現される。まず、ユーザによりレコード領域が選択されると（ステップＳ２２０）、レコード３０８が選択されたか否かを判定する（ステップＳ２２１）。レコード３０８が選択された場合（ステップＳ２２１の“Ｙｅｓ”の分岐）、レコード３０８に関連付けられた設定４０６に文書の指定があるか否かを判定する（ステップＳ２２２）。一方、レコード３０８が選択されなかった（レコード８０７が選択された）場合（ステップＳ２２１の“Ｎｏ”の分岐）、レコード８０７に関連付けられた設定９０４を実行する（ステップＳ２２７）。そして、操作表示部１０５のＬＣＤに表示する（ステップＳ２２８、設定確認画面１０００）。
【００３３】
次に、文書の指定がある場合（ステップＳ２２２の“Ｙｅｓ”の分岐）、指定された文書が文書属性によって関連付けられている設定（図１２）から、特定の設定で競合する項目があるか否かを判定する（ステップＳ２２３）。競合する項目が存在する場合（ステップＳ２２３の“Ｙｅｓ”の分岐）、競合する項目及びその項目で設定される設定値のすべての候補値を表示する（ステップＳ２２４、設定選択画面５１０）。図８に示す設定選択画面５１０でユーザの画面操作による「両面」領域の選択を受け付け（ステップＳ２２５）、レコード３０８に関連付けられた設定４０６を実行しする（ステップＳ２２６）。そして、操作表示部１０５のＬＣＤに表示する（ステップＳ２２８、設定確認画面７００）。一方、文書の指定がない場合（ステップＳ２１２の“Ｎｏ”の分岐）、および競合する設定がない場合（ステップＳ２２３の“Ｎｏ”の分岐）、レコード３０８に関連付けられた設定４０６を実行する（ステップＳ２２６）。そして、操作表示部１０５のＬＣＤに表示する（ステップＳ２２８、設定確認画面７００）。
【００３４】
以上、本実施形態によれば、第２実施形態と比較して、設定選択画面５１０が表示されることにより、設定確認画面７００に遷移する前に競合する項目の設定が行えるため、より簡単な手順で設定を行うことができる。
【００３５】
（第４実施形態）
第１実施形態〜第３実施形態まで、タイムラインと文書属性による一括設定時の制御方法について述べてきたが、それ以外の一括設定方法を使用することも考えられる。例えば、ユーザが手動で設定した内容を、一括設定として登録し呼び出す機能（以降、よく使う設定と呼ぶ）がある。よく使う設定の登録方法としては、手動で１項目ずつ行う方法と、より簡便に登録する方法として、タイムラインの設定をそのままよく使う設定として登録（流用）する方法がある。
【００３６】
図１４及び図１５は、タイムライン領域にあるレコード３０８を、よく使う設定に流用する登録方法を説明する図である。例えば、レコード３０８が長押しされたことを感知すると、ホーム登録画面１１００を表示する。次に、ホーム登録画面１１００内の「はい」が選択された場合、よく使う設定アイコン１２００を作成する。
【００３７】
図１６は、本実施形態に係るよく使う設定のレコード情報１３００である。各レコードは、レコードＩＤ１３０１、レコード名称１３０２、作成方法１３０３、ジョブタイプ１３０４、アプリケーションデータ１３０５の属性を持つ。よく使うアイコン１２００は、レコード名称１３０２が「よく使う設定１」であるレコードと関連づけられている。よく使う設定アイコン１２００が選択された場合、作成方法１３０３の情報を参照し、レコード３０８が選択されたとき同様、第１実施形態乃至第３実施形態の処理を実行する。
【００３８】
以上、本実施形態によれば、タイムライン以外の一括設定方法使用時（よく使う設定を利用した場合）にも、ユーザは、一括設定実行方法の呼び出し手順で設定が決まるため、少ない手順、かつ一括設定される内容を認識しやすくなる。
【００３９】
（第５実施形態）
本実施形態では、あらかじめユーザの意思によって、どのような設定方法を優先するかを決定する設定値を設ける場合について説明する。図９は、各設定方法の優先度を決定する設定画面である。ユーザは、あらかじめこの画面で競合時に優先される設定方法を登録しておく。一括設定時の競合する項目について、この設定に基づいて動作を決定する。設定画面６００内の選択肢６０１が設定されている場合は、タイムラインの設定が優先される。選択肢６０２が設定されている場合は、文書属性の設定が優先される。選択肢６０３が設定されている場合は、図７に示す通知画面５００または図８に示す確認画面５１０を表示する。
【００４０】
以上、本実施形態によれば、予め優先する項目を設定することにより、ジョブ毎に通知画面や確認画面が表示されないことも選択することができ、ユーザは、より簡単にジョブ実行することができる。
【００４１】
（その他の実施例）
本発明は、上述の実施形態の１以上の機能を実現するプログラムを、ネットワーク又は記憶媒体を介してシステム又は装置に供給し、そのシステム又は装置のコンピューターにおける１つ以上のプロセッサーがプログラムを読出し実行する処理でも実現可能である。また、１以上の機能を実現する回路（例えば、ＡＳＩＣ）によっても実現可能である。
【００４２】
また、本発明の好ましい実施形態について説明したが、本発明は、これらの実施形態に限定されず、その要旨の範囲内で種々の変形および変更が可能である。
【図１】
2020032679.tif 000003
【図２】
2020032679.tif 000004
【図３】
2020032679.tif 000005
【図４】
2020032679.tif 000006
【図５】
2020032679.tif 000007
【図６】
2020032679.tif 000008
【図７】
2020032679.tif 000009
【図８】
2020032679.tif 000010
【図９】
2020032679.tif 000011
【図１０】
2020032679.tif 000012
【図１１】
2020032679.tif 000013
【図１２】
2020032679.tif 000014
【図１３】
2020032679.tif 000015
【図１４】
2020032679.tif 000016
【図１５】
2020032679.tif 000017
【図１６】
2020032679.tif 000018